(57)【要約】  板ばね（３４）の内側に配置された内側部材（７３）を備える。内側部材（７３）は、第一の曲げ区間（５３）のうち板ばね（３４）の固定端側となる端部に当接して板ばね（３４）を支持する支持部（８１）と、板ばね（３４）を組み付ける際、板ばね（３４）が正規位置よりも差し込み方向の奥側へ押し込まれたときに、第一の曲げ区間（５３）に対して予め定めた位置で当接して停止させる曲げ区間規制部（８２）と、を備える。
2019215953.tif 000002
【特許請求の範囲】
【請求項１】
ハウジングの電線差込穴に電線が差し込まれると、前記ハウジングの内部で前記電線と係合し、前記電線の引き抜き方向の変位を抑制する板ばねを備え、
前記板ばねは、
前記ハウジングの内部で前記電線が通る位置を電線進路とし、先端が差し込み方向の奥側及び前記電線進路に向かって突出し、板面が前記電線進路と交差するように配置された自由端側区間と、
前記ハウジングに固定され、前記電線進路と平行に延びる直線状の固定端側区間と、
前記自由端側区間と前記固定端側区間との間に介在し、前記差し込み方向の手前側から見て凸となる側に曲げられた第一の曲げ区間と、を備え、
前記電線が差し込まれたときに、前記電線の先端が前記自由端側区間を押し、前記電線の先端が前記自由端側区間の先端を越えると、前記自由端側区間の先端が前記電線を押す係合状態へと移行するものであり、
前記ハウジングに支持され、前記板ばねの内側に配置された内側部材を備え、
前記内側部材は、
前記第一の曲げ区間のうち前記板ばねの固定端側となる端部に当接して前記板ばねを支持する支持部と、
前記板ばねを組み付ける際、前記板ばねが正規位置よりも前記差し込み方向の奥側へ押し込まれたときに、前記第一の曲げ区間に対して予め定めた位置で当接して停止させる曲げ区間規制部と、を備えることを特徴とする接続端子台。
【請求項２】
前記電線差込穴と並んで前記ハウジングに形成された工具差込穴を備え、
前記板ばねは、
前記自由端側区間と前記第一の曲げ区間との間に介在し、前記差し込み方向の手前側、又は前記電線進路から見て凹となる側に曲げられた第二の曲げ区間と、
前記第一の曲げ区間と前記第二の曲げ区間との間に介在する直線状の工具接触区間と、を備え、
前記工具差込穴に工具が差し込まれると、前記工具接触区間に前記工具が接触し、前記工具接触区間を前記板ばねの固定端側へと押しやることにより、前記板ばねを弾性変形させ、前記自由端側区間の先端と前記電線との前記係合が解除されるものであり、
前記内側部材は、
前記工具が差し込まれ、前記工具接触区間が前記板ばねの固定端側へと押しやられたときに、前記第一の曲げ区間のうち前記板ばねの自由端側となる端部、及び前記工具接触区間の少なくとも一方に対して、予め定めた位置で当接して停止させる工具接触区間規制部を備えることを特徴とする請求項１に記載の接続端子台。
【請求項３】
前記内側部材は、
前記工具が差し込まれ、前記工具接触区間が前記板ばねの固定端側へと押しやられたときに、前記自由端側区間に対して予め定めた位置で当接して停止させる自由端側区間規制部を備えることを特徴とする請求項２に記載の接続端子台。
【請求項４】
請求項１〜３の何れか一項に記載の接続端子台を備えた電気機器。
【発明の詳細な説明】
【技術分野】
【０００１】
本発明は、接続端子台、電気機器に関するものである。
【背景技術】
【０００２】
特許文献１には、電線を電気回路に接続するための端子構造として、電線をハウジングに差し込むだけでよいプッシュイン端子が開示されている。この端子構造では、略Ｖ字状に曲げられた板ばねを使用している。電線を差し込んでゆくと、まず電線の先端で板ばねを押してゆき、電線の先端が板ばねの先端を越えると、今度は板ばねの先端で電線を押し付ける係合状態へと移行する。
【先行技術文献】
【特許文献】
【０００３】
【特許文献１】特許第５５３９８０９号公報
【発明の概要】
【発明が解決しようとする課題】
【０００４】
板ばねは固定端側が支持されるが、支持の仕方によっては電線にぐらつきが生じる可能性がある。また、組み付け誤差によって板ばねが正規位置よりも奥側へ押し込まれるような場合、電線を安定して保持することが難しくなる。
本発明の目的は、電線を安定して保持することである。
【課題を解決するための手段】
【０００５】
本発明の一態様に係る接続端子台は、
ハウジングの電線差込穴に電線が差し込まれると、ハウジングの内部で電線と係合し、電線の引き抜き方向の変位を抑制する板ばねを備え、
板ばねは、
ハウジングの内部で電線が通る位置を電線進路とし、先端が差し込み方向の奥側及び電線進路に向かって突出し、板面が電線進路と交差するように配置された自由端側区間と、
ハウジングに固定され、電線進路と平行に延びる直線状の固定端側区間と、
自由端側区間と固定端側区間との間に介在し、差し込み方向の手前側から見て凸となる側に曲げられた第一の曲げ区間と、を備え、
電線が差し込まれたときに、電線の先端が自由端側区間を押し、電線の先端が自由端側区間の先端を越えると、自由端側区間の先端が電線を押す係合状態へと移行するものであり、
ハウジングに支持され、板ばねの内側に配置された内側部材を備え、
内側部材は、
第一の曲げ区間のうち板ばねの固定端側となる端部に当接して板ばねを支持する支持部と、
板ばねを組み付ける際、板ばねが正規位置よりも差し込み方向の奥側へ押し込まれたときに、第一の曲げ区間に対して予め定めた位置で当接して停止させる曲げ区間規制部と、を備えることを特徴とする接続端子台。
【発明の効果】
【０００６】
本発明によれば、内側部材が第一の曲げ区間のうち板ばねの固定端側となる端部を支持するため、固定端側区間が板ばねの自由端側へ傾くことを抑制できる。また、板ばねが正規位置よりも押し込まれても、予め定めた位置で停止させることができる。したがって、電線のぐらつきを抑制し、電線を安定して保持することができる。
【図面の簡単な説明】
【０００７】
【図１】接続端子台の斜視図である。
【図２】部分的に内部を示した接続端子台の斜視図である。
【図３】フェルール端子を差し込む前の状態を示す断面図である。
【図４】端子部が板ばねの自由端側区間に当接した状態の断面図である。
【図５】端子部の先端が自由端側区間の先端に達した状態の断面図である。
【図６】フェルール端子の差し込みが完了した状態の断面図である。
【図７】工具を差し込んだ状態の断面図である。
【図８】一極分の中板を示す図である。
【図９】一極分の板ばねを示す図である。
【図１０】一方側にて板ばねを組み付けた状態を示す。
【図１１】他方側にて板ばねを組み付けた状態を示す。
【発明を実施するための形態】
【０００８】
以下、本発明の実施形態を図面に基づいて説明する。なお、各図面は模式的なものであって、現実のものとは異なる場合がある。また、以下の実施形態は、本発明の技術的思想を具体化するための装置や方法を例示するものであり、構成を下記のものに特定するものでない。すなわち、本発明の技術的思想は、特許請求の範囲に記載された技術的範囲内において、種々の変更を加えることができる。
【０００９】
《構成》
図１は、接続端子台の斜視図である。
以下の説明では、互いに直交する三方向を、便宜的に、幅方向、縦方向、及び奥行方向とする。
接続端子台１１は、リレーを外部回路に接続するためのターミナルソケットである。縦方向の一端側には、一次側のリード線を接続可能なコイル端子用の一次側端子部１２が形成されている。縦方向の中央には、例えば４極の接点を有するリレーを接続可能なリレー端子部１３が形成されている。縦方向の他端側には、コモン端子用、ａ接点端子用、ｂ接点端子用の二次側のリード線を接続可能な二次側端子部１４が形成されている。一次側端子部１２、リレー端子部１３、及び二次側端子部１４は、ハウジング１５によって一体化されている。
【００１０】
ハウジング１５において、奥行方向の手前側となる上面は、リレー端子部１３が一次側端子部１２及び二次側端子部１４よりも奥行方向の奥側に配置されている。
一次側端子部１２は、スプリング式の端子構造であり、ハウジング１５の上面には、奥行方向に沿ってリード線を差し込み可能な複数の電線差込穴２１が形成されている。幅方向の一端側には、一方の極性用として二つの電線差込穴２１ｃと２１ｄが形成され、幅方向の他端側には、他方の極性用として二つの電線差込穴２１ａと２１ｂが形成されている。したがって、一次側端子部１２には計４個の電線差込穴２１がある。極性が同一となる二つの電線差込穴２１ａと２１ｂ、または２１ｃと２１ｄは、幅方向及び縦方向の双方にずらしてあり、奥行方向から見て千鳥状に配列されている。ハウジング１５の上面には、各電線差込穴２１に対して縦方向に並び、奥行方向に沿って工具を差し込み可能な複数の工具差込穴２２が形成されている。工具差込穴２２は、各電線差込穴２１ａ〜２１ｄに対して一つずつ設けられており、夫々、電線差込穴２１ａ〜２１ｄよりも縦方向の他端側に配置されている。したがって、一次側端子部１２には計４個の工具差込穴２２がある。
【００１１】
リレー端子部１３は、プラグイン式の端子構造であり、ハウジング１５の上面には、奥行方向に沿ってプラグを差し込み可能な複数のプラグ差込口２３が形成されている。縦方向の一端側には、コイル端子用として二つのプラグ差込口２３が形成されている。縦方向の他端側には、コモン端子用、ａ接点端子用、及びｂ接点端子用として三つのプラグ差込口２３が縦方向に沿って形成されており、これら三つを一組とし、幅方向に沿って四組分が配列されている。したがって、リレー端子部１３には計１４個のプラグ差込口２３がある。
【００１２】
二次側端子部１４は、スプリング式の端子構造であり、ハウジング１５の上面には、奥行方向に沿ってリード線を差し込み可能な４極に対応する複数の電線差込穴２４が形成されている。二次側端子部１４は、縦方向の一端側から他端側に向けて、奥行方向の高さが順に低くなる三つの段がある。上段には、例えばｂ接点端子用として一極あたり二つの電線差込穴２４ａ〜２４ｈが形成されている。中段には、例えばａ接点端子用として一極あたり二つの電線差込穴２４ｉ〜２４ｐが形成されている。下段には、例えばコモン端子用として一極あたり二つの電線差込穴２４ｑ〜２４ｘが形成されている。各段において、１電極の二つの電線差込穴２４（例えば２４ａと２４ｂ）は、幅方向及び縦方向の双方にずらしてあり、奥行方向から見て千鳥状に配列されている。これら六つの電線差込穴２４（例えば２４ａ、２４ｂ、２４ｉ、２４ｊ、２４ｑ、及び２４ｒ）を一組とし、幅方向に沿って４極分が配列されている。したがって、二次側端子部１４には計２４個の電線差込穴２４がある。ハウジング１５の上面には、各電線差込穴２４に対して縦方向に並び、奥行方向に沿って工具を差し込み可能な複数の工具差込穴２５が形成されている。各段において、工具差込穴２５は、各電線差込穴２４ａ〜２４ｘに対して一つずつ設けられており、夫々、電線差込穴２４よりも縦方向の一端側に配置されている。したがって、二次側端子部１４には計２４個の工具差込穴２５がある。
【００１３】
図２は、部分的に内部を示した接続端子台の斜視図である。
一次側端子部１２、及び二次側端子部１４は、基本的に同様の構造であるため、ここでは二次側端子部１４を例に説明する。
ハウジング１５の内部には、各プラグ差込口２３における奥行方向の奥側に、刃受けばね３１が設けられている。刃受けばね３１は、対向し付勢し合う一対のばね片を備え、この一対のばね片の間に差し込まれたプラグを挟持する。各電線差込穴２４ａ〜２４ｘにおける奥行方向の奥側には、スプリング金具３２が設けられており、各スプリング金具３２は中間ベース４６に取付けられている。スプリング金具３２は、奥行方向及び幅方向と略平行な押付面３３と、この押付面３３に対して付勢された板ばね３４とを備え、これら押付面３３と板ばね３４との間に差し込まれたリード線を挟持する。刃受けばね３１及びスプリング金具３２よりも奥行方向の奥側には、これらを電気的に接続する中継導電板３５が設けられている。中継導電板３５は、コイル端子用に二系統あり、コモン端子用、ａ接点端子用、及びｂ接点端子用に、夫々、四系統ある。
【００１４】
電線差込穴２４に差し込まれるリード線１６（電線）には、フェルール端子１７が圧着されている。ここでは、図１の電線差込穴２４ｘに差し込まれたフェルール端子１７を示す。フェルール端子１７は、より線のバラケを防止し、電気接続の品質を安定させるための棒形圧着端子である。フェルール端子１７は、絶縁されたカラー部１８と、端子部１９と、を備える。カラー部１８の先端側には、先端に向かうほど小径となるテーパ面１８ａが形成されており、端子部１９はカラー部１８の直径よりも細い。
板ばね３４は、ハウジング１５の電線差込穴２４にリード線１６が差し込まれると、ハウジング１５の内部で端子部１９と係合し、引き抜き方向の変位を抑制する。また、工具差込穴２５に工具（図示省略）が差し込まれると、ハウジング１５の内部で端子部１９との係合が解除される。
【００１５】
次に、電線差込穴２４の構造について説明する。
二次側端子部１４に形成された電線差込穴２４は、何れも同一の構造であるが、ここでは下段に形成された電線差込穴２４を例に説明する。
図３は、フェルール端子を差し込む前の状態を示す断面図である。
電線差込穴２４は、ハウジング１５の内部へと向かって順に、大径部４３と、当接部４４と、小径部４５と、を備える。大径部４３の直径は、カラー部１８よりも僅かに大きい寸法である。当接部４４は、奥行方向の奥側に向かうほど小径となるテーパ面である。奥行方向に対する当接部４４のテーパ角度は、奥行方向に対するテーパ面１８ａの角度よりも大きい。小径部４５の直径は、カラー部１８の直径よりも小さく、且つ端子部１９の直径よりも大きな寸法である。
【００１６】
板ばね３４は、例えばステンレスによって形成されており、板厚は０.５ｍｍ程度で均一である。板ばね３４は、自由端側区間５１と、固定端側区間５２と、第一の曲げ区間５３と、第二の曲げ区間５４と、工具接触区間５５と、を備える。ハウジング１５の内部で端子部１９が通る位置を端子進路５６（電線進路）とする。
自由端側区間５１は、先端が差し込み方向の奥側及び端子進路５６に向かって直線状に突出し、板面が端子進路５６と交差するように配置され、且つ押付面３３に向かって付勢された区間である。フェルール端子１７が差し込まれていない状態において、自由端側区間５１の先端５１ａは、押付面３３に当接している。
固定端側区間５２は、中間ベース４６に固定され、端子進路５６と平行に延びる直線状の区間である。
【００１７】
第一の曲げ区間５３は、自由端側区間５１と固定端側区間５２との間に介在し、差し込み方向の手前側から見て凸となる側に湾曲させた区間である。曲率半径が小さ過ぎると、塑性変形しやすくなり、さらに弾性力が弱くなるため、曲率半径は板厚の２倍以上に設定されており、好ましくは３倍以上である。したがって、ここでは１.５ｍｍ以上の曲率半径とすることが好ましい。
第二の曲げ区間５４は、自由端側区間５１と第一の曲げ区間５３との間に介在し、差し込み方向の手前側、又は端子進路５６から見て凹となる側に曲げられた区間である。
工具接触区間５５は、第一の曲げ区間５３と第二の曲げ区間５４との間に介在し、工具が差し込まれたときに、工具の外周面によって端子進路５６に対して板ばね３４の固定端側へと押される直線状の区間である。
【００１８】
板ばね３４の動作について説明する。
図４は、端子部が板ばねの自由端側区間に当接した状態の断面図である。
電線差込穴２４にフェルール端子１７を差し込んでゆくと、まず端子部１９が小径部４５を通過し、端子部１９の先端１９ａが、板ばね３４における自由端側区間５１の板面に当接する。
この状態からフェルール端子１７を押し込んでゆくと、端子部１９の先端１９ａが板ばね３４における自由端側区間５１の板面を、奥行方向の奥側へと押してゆく。このとき、自由端側区間５１から工具接触区間５５までの範囲が、第一の曲げ区間５３の曲率中心を支点にして回動し、固定端側区間５２に対して工具接触区間５５の開き度合を狭める、つまり閉じる方向に板ばね３４を弾性変形させてゆく。
【００１９】
図５は、端子部の先端が自由端側区間の先端に達した状態の断面図である。
フェルール端子１７をさらに押し込んでゆくと、端子部１９の先端１９ａが自由端側区間５１の先端５１ａに達する。
フェルール端子１７をさらに押し込み、端子部１９の先端１９ａが自由端側区間５１の先端５１ａを越えると、端子部１９は自由端側区間５１の先端５１ａと押付面３３との間に割り込むように進入する。このとき、板ばね３４の弾性力により、自由端側区間５１の先端５１ａが端子部１９を押付面３３に押し付ける係合状態へと移行する。
【００２０】
自由端側区間５１は奥行方向の奥側へ向かって突出しているため、この係合状態では、端子部１９の差し込み方向への変位が順方向となり許容される。一方、引き抜き方向への変位は、自由端側区間５１を逆撫でる逆方向となるため、自由端側区間５１の先端５１ａが端子部１９へ引っ掛かり、引き抜き方向の変位が抑制される。したがって、フェルール端子１７の緩みや抜け落ちを抑制できる。このように、自由端側区間５１の先端５１ａと押付面３３とによって端子部１９が挟持されることで、端子部１９を保持した拘束状態となる。なお、端子部１９の幅寸法は１.５ｍｍ程度であり、自由端側区間５１の先端５１ａと押付面３３との間には、端子部１９の幅寸法だけ隙間が空くようになる。
【００２１】
ここでは、便宜上、フェルール端子１７に傾きがない状態を描いているが、実際には端子部１９が板ばね３４によって押付面３３の側に押圧されることで、フェルール端子１７が奥行方向に対して傾いた状態となる。したがって、フェルール端子１７を差し込んだときに、僅かな傾きを積極的に許容するために、大径部４３の直径、当接部４４のテーパ角度、小径部４５の直径等が設定されている。
図６は、フェルール端子の差し込みが完了した状態の断面図である。
フェルール端子１７をさらに押し込んでゆき、カラー部１８におけるテーパ面１８ａの先端側が、電線差込穴２４の当接部４４に当接すると、それ以上の差し込みが阻止され停止する。このとき、端子部１９の先端１９ａは、ハウジング１５の内部における底面４７に対して隙間があくように設定されている。ここでは、カラー部１８の長さが６.０ｍｍ程度、端子部１９の長さは８.０ｍｍ程度であり、全長１４.０ｍｍ程度のものを使用している。
【００２２】
図７は、工具を差し込んだ状態の断面図である。
板ばね３４が端子部１９と係合している場合、奥行方向の手前側から見て、工具差込穴２５は、自由端側区間５１における縦方向の他端側から、第一の曲げ区間５３における縦方向の他端側に至る領域と重なる位置に配置されている。工具差込穴２５は、奥行方向の奥側に向かうほど端子部１９へと接近するように、奥行方向に対して１０度ほど傾斜して形成されている。板ばね３４が端子部１９と係合している場合、工具接触区間５５は工具差込穴２５の軸線と略平行に延びている。工具６１には、例えばマイナスドライバが使用される。
【００２３】
工具６１を差し込むと、第一の曲げ区間５３における縦方向の一端側から工具接触区間５５に至る範囲に、工具６１の外周面が滑りながら接触し、工具接触区間５５を縦方向の一端側へと押しやる。あるいは、自由端側区間５１における縦方向の他端側から第二の曲げ区間５４に至る範囲に、工具６１の先端が当接し、自由端側区間５１を押し下げる。このように、工具接触区間５５を縦方向の一端側へ押しやるか、自由端側区間５１を押し下げることにより、固定端側区間５２に対して工具接触区間５５の開き度合を狭める、つまり閉じる方向に板ばね３４を弾性変形させる。これにより、自由端側区間５１の先端５１ａと端子部１９との係合状態が解除され、端子部１９は板ばね３４による拘束から解放されることになり、フェルール端子１７の引き抜きが可能となる。
【００２４】
次に、中間ベース４６について説明する。
図８は、一極分の中板を示す図である。
中間ベース４６には、一極ごとに奥行方向の手前側に突出した中板７１が形成されている。各極の中板７１は全て共通の構造であるため、ここでは一極分だけを示す。また、図中の（ａ）は幅方向の他端側から見た図であり、図中の（ｂ）は幅方向の一端側から見た図である。
各中板７１は、仕切板７２と、一方の内側部材７３と、他方の内側部材７４と、を備える。
【００２５】
一極あたり二つの電線差込穴２４（例えば２４ｘと２４ｗ）があるため、一つの中板７１には、一方の電線差込穴２４（例えば２４ｘ）に対応する側と、他方の電線差込穴２４（例えば２４ｗ）に対応する側とがある。仕切板７２は、一方側と他方側とを仕切っている。
二つの電線差込穴２４（例えば２４ｘと２４ｗ）は縦方向にもずらしてあるため、一方の内側部材７３及び他方の内側部材７４も縦方向にずらしてあるが、基本的には同一の構造である。
【００２６】
図９は、一極分の板ばねを示す図である。
板ばね３４は、固定端側区間５２における奥行方向の手前側が、一方の電線差込穴（例えば２４ｘ）に対応する側と、他方の電線差込穴２４（例えば２４ｗ）に対応する側とに分岐している。分岐した先には、夫々、第一の曲げ区間５３、工具接触区間５５、第二の曲げ区間５４、及び自由端側区間５１が連続して形成されている。他方側の電線差込穴２４（例えば２４ｗ）に対応する側は、一方側の電線差込穴２４（２４ｘ）に対応する側よりも縦方向の他端側にずらすために、固定端側区間５２における奥行方向の手前側が、縦方向の他端側へと傾けてある。
板ばね３４は、中間ベース４６の中板７１に組み付けられる。
【００２７】
図１０は、一方側にて板ばねを組み付けた状態を示す。
ここでは、一方の電線差込穴（例えば２４ｘ）に対応する側を、幅方向の一端側から見た状態を示す。
一方の内側部材７３は、板ばね３４の内側に配置されており、支持部８１と、規制部８２（曲げ区間規制部）と、規制部８３（工具接触区間規制部）と、規制部８４（自由端側区間規制部）と、を備える。
支持部８１は、第一の曲げ区間５３のうち板ばね３４の固定端側となる端部に、つまり第一の曲げ区間５３と固定端側区間５２との接続位置に、当接して板ばね３４を支持する。なお、固定端側区間５２の外側、つまり縦方向の他端側は、図示しないハウジング１５によって支持されている。
【００２８】
規制部８２は、板ばね３４を組み付ける際、板ばね３４が正規位置よりも差し込み方向の奥側へ押し込まれたときに、第一の曲げ区間５３に対して予め定めた位置で当接して停止させる。板ばね３４は、固定端側区間５２の下端５２ａが、中間ベース４６によって支持されているが、組み付け誤差によって正規位置よりも奥側へ押し込まれる可能性がある。ここでは板ばね３４が正規位置にあるため、規制部８２に対して第一の曲げ区間５３は離れた状態にある。板ばね３４を停止させる予め定めた位置とは、フェルール端子１７を安定して保持できる範囲で設定されている。
【００２９】
規制部８３は、工具６１が差し込まれ、工具接触区間５５が板ばね３４の固定端側へと押しやられたときに、第一の曲げ区間５３のうち板ばね３４の自由端側となる端部、及び工具接触区間５５の少なくとも一方に対して、予め定めた位置で当接して停止させる。工具６１は、前述したようにマイナスドライバである。したがって、先端側は、背中合わせとなる二つの端面が先端に向かうほど接近することで厚みが小さくなるように形成されており、刃先が一文字状となる。工具６１の刃先を板ばね３４と略平行に差し込めば、第一の曲げ区間５３を必要以上に撓ませることはないが、非平行に差し込んだり、又は抉ったりすると、第一の曲げ区間５３を必要以上に撓ませることになる。板ばね３４を停止させる予め定めた位置とは、板ばね３４の塑性変形を防止できる範囲で設定されている。
【００３０】
規制部８４は、工具６１が差し込まれ、工具接触区間５５が板ばね３４の固定端側へと押しやられたときに、自由端側区間５１に対して予め定めた位置で当接して停止させる。工具６１を奥深くまで差し込めば、第一の曲げ区間５３を必要以上に撓ませることになる。板ばね３４を停止させる予め定めた位置とは、板ばね３４の塑性変形を防止できる範囲で設定されている。
図１１は、他方側にて板ばねを組み付けた状態を示す。
前述したように、一方側も他方側も基本的には同一の構造であるため、共通する部分については同一符号を付し、詳細な説明は省略する。他方側では、支持部８１及び規制部８２を縦方向の他端側へと突出させている。規制部８２における奥行方向の奥側には、入隅８５があり、応力の集中を緩和するために円弧状に丸めてある。
【００３１】
《作用》
次に実施形態の主要な作用について説明する。
板ばね３４は固定端側区間５２が支持されるが、支持の仕方によってはフェルール端子１７にぐらつきが生じる可能性がある。例えば、図１０に点線で示すように、規制部８２における奥行方向の位置がもっと奥側である場合、同じく固定端側区間５２における奥行方向の手前側が板ばね３４の自由端側へと傾き、ぐらつきが生じる可能性がある。
そこで、板ばね３４の内側に内側部材７３（又は７４）を配置させ、支持部８１で第一の曲げ区間５３のうち板ばね３４の固定端側となる端部を支持する。これにより、固定端側区間５２が板ばね３４の自由端側へ傾くことを抑制できる。したがって、板ばね３４の可動範囲が安定することでフェルール端子１７のぐらつきが抑制され、フェルール端子１７を安定して保持することができる。
【００３２】
また、板ばね３４は、組み付け誤差によって正規位置よりも奥側へ押し込まれる可能性がある。そこで、板ばね３４が正規位置よりも押し込まれたときに、第一の曲げ区間５３に対して予め定めた位置で当接して停止させる規制部８２を設けている。これにより、フェルール端子１７を安定して保持することができる。
また、工具６１を板ばね３４と非平行に差し込んだり、又は抉ったりすると、第一の曲げ区間５３を必要以上に撓ませることになる。そこで、工具６１で工具接触区間５５が板ばね３４の固定端側へと押しやられたときに、第一の曲げ区間５３のうち板ばね３４の自由端側となる端部、及び工具接触区間５５の少なくとも一方に対して、予め定めた位置で当接して停止させる規制部８３を設けている。これにより、板ばね３４の塑性変形を防止できるので、板ばね３４の特性に影響が及ぶことを抑制できる。したがって、フェルール端子１７を安定して保持することができる。
【００３３】
さらに、工具６１を奥深くまで差し込めば、第一の曲げ区間５３を必要以上に撓ませることになる。そこで、工具６１で工具接触区間５５が板ばね３４の固定端側へと押しやられたときに、自由端側区間５１に対して予め定めた位置で当接して停止させる規制部８４を設けている。これにより、板ばね３４の塑性変形を防止できるので、板ばね３４の特性に影響が及ぶことを抑制できる。したがって、フェルール端子１７を安定して保持することができる。
【００３４】
《変形例》
上記の実施形態では、リード線１６にフェルール端子１７を圧着した場合について説明したが、これに限定されるものではなく、単線であれ、より線であれ、裸線のまま使用してもよい。
上記の実施形態では、ａ接点端子及びｂ接点端子を組み合わせたｃ接点のリレーについて説明したが、これに限定されるものではなく、ａ接点のリレーやｂ接点のリレーにも適用できる。また、４極の接点を有するリレーについて説明したが、これに限定されるものではなく、一極、２極、又は３極のリレーにも適用できる。さらに、リレーに限定されるものではなく、タイマーにも適用できる。
上記の実施形態では、リレーやタイマー等を外部回路に接続するためのターミナルソケットについて説明したが、これに限定されるものではない。要は、ハウジング１５に差し込まれたフェルール端子１７を保持可能なスプリング式の端子構造であれば、他の如何なる電気機器や付属装置にも適用可能である。
【００３５】
以上、限られた数の実施形態を参照しながら説明したが、権利範囲はそれらに限定されるものではなく、上記の開示に基づく実施形態の改変は、当業者にとって自明のことである。
【符号の説明】
【００３６】
１１…接続端子台、１２…一次側端子部、１３…リレー端子部、１４…二次側端子部、１５…ハウジング、１６…リード線、１７…フェルール端子、１８…カラー部、１８ａ…テーパ面、１９…端子部、１９ａ…先端、２１…電線差込穴、２２…工具差込穴、２３…プラグ差込口、２４…電線差込穴、２５…工具差込穴、３０…角度、３２…スプリング金具、３３…押付面、３４…板ばね、３５…中継導電板、４３…大径部、４４…当接部、４５…小径部、４６…中間ベース、４７…底面、５１…自由端側区間、５１ａ…先端、５２…固定端側区間、５３…第一の曲げ区間、５４…第二の曲げ区間、５５…工具接触区間、５６…端子進路、６１…工具、７１…中板、７２…仕切板、７３…内側部材、７４…内側部材、８１…支持部、８２…規制部、８３…規制部、８４…規制部、８５…入隅
【図１】
2019215953.tif 000003
【図２】
2019215953.tif 000004
【図３】
2019215953.tif 000005
【図４】
2019215953.tif 000006
【図５】
2019215953.tif 000007
【図６】
2019215953.tif 000008
【図７】
2019215953.tif 000009
【図８】
2019215953.tif 000010
【図９】
2019215953.tif 000011
【図１０】
2019215953.tif 000012
【図１１】
2019215953.tif 000013
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
ハウジングの電線差込穴に電線が差し込まれると、前記ハウジングの内部で前記電線と係合し、前記電線の引き抜き方向の変位を抑制する板ばねを備え、
前記板ばねは、
前記ハウジングの内部で前記電線が通る位置を電線進路とし、先端が差し込み方向の奥側及び前記電線進路に向かって突出し、板面が前記電線進路と交差するように配置された自由端側区間と、
前記ハウジングに固定され、前記電線進路と平行に直線状に延び、後端が前記直線状で終端する固定端側区間と、
前記自由端側区間と前記固定端側区間との間に介在し、前記差し込み方向の手前側から見て凸となる側に曲げられた第一の曲げ区間と、を備え、
前記電線が差し込まれたときに、前記電線の先端が前記自由端側区間を押し、前記電線の先端が前記自由端側区間の先端を越えると、前記自由端側区間の先端が前記電線を押す係合状態へと移行するものであり、
前記ハウジングに支持され、前記板ばねの内側に配置された内側部材を備え、
前記内側部材は、
前記第一の曲げ区間のうち前記板ばねの固定端側となる端部に当接して前記板ばねを支持する支持部と、
前記板ばねを組み付ける際、前記板ばねが正規位置よりも前記差し込み方向の奥側へ押し込まれたときに、前記第一の曲げ区間に対して予め定めた位置で当接して停止させる曲げ区間規制部と、を備えることを特徴とする接続端子台。
【請求項２】
前記電線差込穴と並んで前記ハウジングに形成された工具差込穴を備え、
前記板ばねは、
前記自由端側区間と前記第一の曲げ区間との間に介在し、前記差し込み方向の手前側、又は前記電線進路から見て凹となる側に曲げられた第二の曲げ区間と、
前記第一の曲げ区間と前記第二の曲げ区間との間に介在する直線状の工具接触区間と、を備え、
前記工具差込穴に工具が差し込まれると、前記工具接触区間に前記工具が接触し、前記工具接触区間を前記板ばねの固定端側へと押しやることにより、前記板ばねを弾性変形させ、前記自由端側区間の先端と前記電線との前記係合が解除されるものであり、
前記内側部材は、
前記工具が差し込まれ、前記工具接触区間が前記板ばねの固定端側へと押しやられたときに、前記第一の曲げ区間のうち前記板ばねの自由端側となる端部、及び前記工具接触区間の少なくとも一方に対して、予め定めた位置で当接して停止させる工具接触区間規制部を備えることを特徴とする請求項１に記載の接続端子台。
【請求項３】
前記内側部材は、
前記工具が差し込まれ、前記工具接触区間が前記板ばねの固定端側へと押しやられたときに、前記自由端側区間に対して予め定めた位置で当接して停止させる自由端側区間規制部を備えることを特徴とする請求項２に記載の接続端子台。
【請求項４】
請求項１〜３の何れか一項に記載の接続端子台を備えた電気機器。
【手続補正書】
【提出日】令和2年3月2日(2020.3.2)
【手続補正１】
【補正対象書類名】明細書
【補正対象項目名】０００５
【補正方法】変更
【補正の内容】
【０００５】
本発明の一態様に係る接続端子台は、
ハウジングの電線差込穴に電線が差し込まれると、ハウジングの内部で電線と係合し、電線の引き抜き方向の変位を抑制する板ばねを備え、
板ばねは、
ハウジングの内部で電線が通る位置を電線進路とし、先端が差し込み方向の奥側及び電線進路に向かって突出し、板面が電線進路と交差するように配置された自由端側区間と、
ハウジングに固定され、電線進路と平行に直線状に延び、後端が直線状で終端する固定端側区間と、
自由端側区間と固定端側区間との間に介在し、差し込み方向の手前側から見て凸となる側に曲げられた第一の曲げ区間と、を備え、
電線が差し込まれたときに、電線の先端が自由端側区間を押し、電線の先端が自由端側区間の先端を越えると、自由端側区間の先端が電線を押す係合状態へと移行するものであり、
ハウジングに支持され、板ばねの内側に配置された内側部材を備え、
内側部材は、
第一の曲げ区間のうち板ばねの固定端側となる端部に当接して板ばねを支持する支持部と、
板ばねを組み付ける際、板ばねが正規位置よりも差し込み方向の奥側へ押し込まれたときに、第一の曲げ区間に対して予め定めた位置で当接して停止させる曲げ区間規制部と、を備えることを特徴とする接続端子台。
【国際調査報告】
2019215953.tif 000014
2019215953.tif 000015
2019215953.tif 000016
2019215953.tif 000017